(57)【要約】【課題】柱配筋の下部側にコンクリートを打設する建築現場において柱配筋の周囲に圧縮空気を噴射させることが可能で、圧縮空気噴射口の前方において降る雨を吹き飛ばすことにより、雨天時においても、柱配筋の下部側にコンクリートを打設する作業を可能とするダクト、及び、当該ダクトを使用した圧縮空気噴射装置を提供する。【解決手段】柱体（柱配筋３）に着脱可能に構成されたダクト２であって、柱体に取付けられた状態において柱体の周方向に沿って連続する圧縮空気噴射口２２と、圧縮空気を取り入れるための圧縮空気取入口２３と、圧縮空気取入口から取り込まれた圧縮空気を圧縮空気噴射口に導く流路２４とを備えたことを特徴とする。【選択図】図１
2017172249.tif 000002
【特許請求の範囲】
【請求項１】
柱体に着脱可能に構成されたダクトであって、
柱体に取付けられた状態において柱体の周方向に沿って連続する圧縮空気噴射口と、圧縮空気を取り入れるための圧縮空気取入口と、圧縮空気取入口から取り込まれた圧縮空気を圧縮空気噴射口に導く流路とを備えたことを特徴とするダクト。
【請求項２】
圧縮空気噴射口は、柱体の周方向に沿って所定角度に亘って連続するように形成されたことを特徴とする請求項１に記載のダクト。
【請求項３】
請求項１又は請求項２に記載のダクトを使用した圧縮空気噴射装置であって、
請求項１又は請求項２に記載のダクトと、ダクトが取付られた柱体と、柱体に取付けられたダクトの圧縮空気取入口に連結された圧縮空気供給手段とを備えて構成され、
ダクトの圧縮空気噴射口から圧縮空気を噴射させることを特徴とする圧縮空気噴射装置。
【請求項４】
柱体が建設途中の建物の柱配筋であり、
ダクトが柱配筋に取付けられ、
柱配筋に取付けられたダクトの圧縮空気噴射口から圧縮空気を噴射させることによって、圧縮空気噴射口の前方において降る雨を吹き飛ばすことを特徴とする請求項３に記載の圧縮空気噴射装置。
【請求項５】
圧縮空気噴射口が第１の柱配筋の全周囲に連続して設けられるように当該第１の柱配筋にダクトが取付けられるとともに、第１の柱配筋の周りに位置される第２の柱配筋には、当該第２の柱配筋の周方向に沿って所定角度に亘って圧縮空気噴射口が連続するようにダクトが取付けられ、第１の柱配筋に取付けられるダクトが第２の柱配筋に取付けられるダクトの位置よりも高い位置に取付けられたことを特徴とする請求項４に記載の圧縮空気噴射装置。
【発明の詳細な説明】
【技術分野】
【０００１】
本発明は、圧縮空気を噴射させるために使用されるダクト、及び、当該ダクトを使用した圧縮空気噴射装置に関する。
【背景技術】
【０００２】
雨天時においてもコンクリート打設作業を行えるように、エアで雨水を吹き飛ばすようにしたエア式屋根機構を備えた工事現場用屋根装置が知られている（特許文献１参照）。当該工事現場用屋根装置は、移動式屋根の上にレールを設けて、エアを噴出するための複数のダクトをレールに沿って移動自在に設けた構成である。
【先行技術文献】
【特許文献】
【０００３】
【特許文献１】特開平７−２１７２１９号公報
【発明の概要】
【発明が解決しようとする課題】
【０００４】
しかしながら、上述した工事現場用屋根装置では、ダクトが移動式屋根に設けられている構成、即ち、屋根を備えた構成であるため、柱配筋を施工した後、柱配筋の下部側にコンクリートを打設する建築現場においては、柱配筋が邪魔になり、使用することができないという課題があった。
本発明は、柱配筋の下部側にコンクリートを打設する建築現場において柱配筋の周囲に圧縮空気を噴射させることが可能で、圧縮空気噴射口の前方において降る雨を吹き飛ばすことにより、雨天時においても、柱配筋の下部側にコンクリートを打設する作業を可能とするダクト、及び、当該ダクトを使用した圧縮空気噴射装置を提供する。
【課題を解決するための手段】
【０００５】
本発明に係るダクトは、柱体に着脱可能に構成されたダクトであって、柱体に取付けられた状態において柱体の周方向に沿って連続する圧縮空気噴射口と、圧縮空気を取り入れるための圧縮空気取入口と、圧縮空気取入口から取り込まれた圧縮空気を圧縮空気噴射口に導く流路とを備えたことを特徴とする。
また、圧縮空気噴射口は、柱体の周方向に沿って所定角度に亘って連続するように形成されたことを特徴とする。
以上のように、本発明に係るダクトによれば、柱体としての柱配筋の下部側にコンクリートを打設する建築現場において柱配筋の周囲に圧縮空気を噴射させることが可能となり、圧縮空気噴射口の前方において降る雨を吹き飛ばすことにより、雨天時においても、柱配筋の下部側にコンクリートを打設する作業を行えるようになり、雨天による施工期間の遅れを抑制することが可能となる。
本発明に係る前記ダクトを使用した圧縮空気噴射装置は、前記ダクトと、ダクトが取付られた柱体と、柱体に取付けられたダクトの圧縮空気取入口に連結された圧縮空気供給手段とを備えて構成され、ダクトの圧縮空気噴射口から圧縮空気を噴射させることを特徴とする。
また、柱体が建設途中の建物の柱配筋であり、ダクトが柱配筋に取付けられ、柱配筋に取付けられたダクトの圧縮空気噴射口から圧縮空気を噴射させることによって、圧縮空気噴射口の前方において降る雨を吹き飛ばすことを特徴とする。
以上のように、本発明に係る圧縮空気噴射装置によれば、柱配筋の下部側にコンクリートを打設する建築現場において柱配筋の周囲に圧縮空気を噴射させることが可能となり、圧縮空気噴射口の前方において降る雨を吹き飛ばすことにより、雨天時においても、柱配筋の下部側にコンクリートを打設する作業を行えるようになり、雨天による施工期間の遅れを抑制することが可能となる。
また、圧縮空気噴射口が第１の柱配筋の全周囲に連続して設けられるように当該第１の柱配筋にダクトが取付けられるとともに、第１の柱配筋の周りに位置される第２の柱配筋には、当該第２の柱配筋の周方向に沿って所定角度に亘って圧縮空気噴射口が連続するようにダクトが取付けられ、第１の柱配筋に取付けられるダクトが第２の柱配筋に取付けられるダクトの位置よりも高い位置に取付けられたことにより、第１の柱配筋に取付けられたダクトの圧縮空気噴射口から噴射させた圧縮空気で吹き飛ばした雨をさらに第２の柱配筋に取付けられたダクトの圧縮空気噴射口から噴射させた圧縮空気で吹き飛ばすことができ、雨を吹き飛ばせる範囲を広くできるようになるので、雨天時において、柱配筋の下部側にコンクリートを打設する作業を広い範囲で行うことが可能となり、雨天による施工期間の遅れを抑制することが可能となる。
【図面の簡単な説明】
【０００６】
【図１】ダクトを用いた圧縮空気噴射装置を示す図（図２のＡ−Ａ断面に相当する図）。
【図２】柱配筋に取付けられた１／２扇形形状のダクトを示す平面図。
【図３】１／２扇形形状のダクトを圧縮空気噴射口側から見た斜視図。
【図４】１／２扇形形状のダクトを上方側から見た斜視図。
【図５】柱配筋に取付けられた１／４扇形形状のダクトを示す平面図。
【図６】１／４扇形形状のダクトを圧縮空気噴射口側から見た斜視図。
【図７】１／４扇形形状のダクトを上方側から見た斜視図。
【図８】ダクトの配置例を示す図。
【発明を実施するための形態】
【０００７】
図１に示すように、実施形態に係る圧縮空気噴射装置１は、ダクト２と、ダクト２が取付られた柱体としての建設途中の建物の柱配筋３と、ダクト２に圧縮空気Ａを供給する圧縮空気供給手段としてのコンプレッサー４とを備えた構成である。尚、柱配筋３は、地上面５又は下層床面５より立設される。
【０００８】
図１乃至図７に示すように、ダクト２は、柱配筋３に着脱可能に構成されたダクト２であって、後述する柱配筋側取付部３２への取付部となるダクト側取付部２１（図４，図７の取付孔２１ａ参照）と、ダクト側取付部２１及び柱配筋側取付部３２を介して柱配筋３に取付けられた状態において柱配筋３の周方向に沿って連続する圧縮空気噴射口２２と、圧縮空気Ａを取り入れるための圧縮空気取入口２３と、圧縮空気取入口２３から取り込まれた圧縮空気Ａを圧縮空気噴射口２２に導く流路２４とを備えた構成である。
【０００９】
ダクト２は、互いに対向する上板２５及び下板２６と、上板２５と下板２６とを連結する壁板２７とを備えて構成され、上板２５と、下板２６と、壁板２７と、これら上板２５と下板２６と壁板２７とで囲まれた空間とによって流路２４が形成された構成である。
【００１０】
上板２５及び下板２６は平面視形状が扇形状に形成され（図２，図５参照）、ダクト２は、例えば、図２乃至図４に示すように、弧の長さが円周の２分の１となるように形成された１／２扇形形状のダクト、又は、図５乃至図７に示すように、弧の長さが円周の４分の１となるように形成された１／４扇形形状のダクトである。即ち、図２，図５に示すように、ダクト２は、柱配筋３に取付けられた場合、圧縮空気噴射口２２が、柱配筋３の周方向に沿って１８０°又は９０°に亘って連続するように形成されている。
【００１１】
１／２扇形形状のダクト２は、図４に示すように、上板２５が、後述する取付ベース３３の四角筒の周方向に沿って１８０°に亘る外面と対応する中心角１８０°の扇の中心角部分が除去された長方形状の除去部２８を有した平板により形成され、下板２６が、取付ベースの四角筒の周方向に沿って１８０°に亘る外面と対応する中心角１８０°の扇の中心角部分が除去された長方形状の除去部２８を有して上板２５と対向する板により形成される。
【００１２】
１／４扇形形状のダクト２は、図７に示すように、上板２５が、後述する取付ベース３３の四角筒の角部と対応する中心角９０°の扇の中心角部分が除去された正方形状の除去部２９を有した平板により形成され、下板２６が、取付ベースの四角筒の角部と対応する中心角９０°の扇の中心角部分が除去された正方形状の除去部２９を有して上板２５と対向する板により形成される。
【００１３】
図１，図２に示すように、ダクト２の圧縮空気取入口２３は、上板２５の中心角側に形成された貫通孔２３ａと、当該貫通孔２３ａの孔縁側より立ち上がるように設けられた例えば円筒状の連結孔部２３ｂとを備えた構成である。図１に示すように、連結孔部２３ｂとコンプレッサー４の吐出口４ａとが連結ホースのような圧縮空気供給管２３ｃで連結されることによってコンプレッサー４からの圧縮空気Ａがダクト２内に供給され、圧縮空気Ａが圧縮空気噴射口２２を介してダクト２外に噴射される。
【００１４】
ダクト２は、上板２５及び下板２６の上述した除去部２８や除去部２９と貫通孔２３ａとの間の位置から上板２５及び下板２６の扇形の半径線部分を経由して上板２５及び下板２６の扇形の弧の両端部分に亘る部位が壁板２７で連結されたことにより、上板２５と下板２６と壁板２７とで囲まれた流路２４が形成されるとともに、上板２５の弧と下板２６の弧とが対向する弧状に連続した圧縮空気噴射口２２が形成された構成となっている（図２，図５参照）。
【００１５】
図１に示すように、ダクト２の下板２６は、圧縮空気取入口２３の近傍に位置する部位においては、上板２５との対向間隔が広く、かつ、圧縮空気噴射口２２近傍に位置する部位においては、上板２５との対向間隔が狭くなるような変形板により形成される。
即ち、下板２６は、対向する上板２５との距離が、円弧の中心角側から弧側に近付くにつれて狭くなるような形状に形成される。
【００１６】
つまり、ダクト２は、圧縮空気取入口２３からダクト２の内部空間に注入された圧縮空気Ａが、対向する上板２５との下板２６との間隔が中心角側から弧側に近付くにつれて狭くなるような形状に形成された整流部を経由して圧縮空気噴射口２２から外部に噴射されるように構成されている。
即ち、圧縮空気取入口２３を介してダクト２内に取り込まれた圧縮空気Ａは、一旦ダクト２内に滞留した後に、上板２５と下板２６との対向間隔が狭い通路を通過する際に流速が増した状態で圧縮空気噴射口２２から噴射されるように構成されている。つまり、流路２４は、圧縮空気取入口２３を介してダクト２内に取り込まれた圧縮空気Ａを整流して圧縮空気噴射口２２に導く整流路に形成される。
【００１７】
図１，図２に示すように、建設途中の建物の柱配筋３は、複数の主筋３ａ，３ａ…が完成した場合に四角柱となる柱の４辺に沿って所定の間隔を隔てて並ぶように設けられ、かつ、これら主筋３ａ，３ａ…を取り囲む帯筋３ｂが主筋３ａの延長方向に沿って所定の間隔を隔てて複数設けられた構成である。尚、図２及び図５では、帯筋３ｂの図示を省略している。
【００１８】
ダクト２は、ダクト側取付部２１及び柱配筋側取付部３２を介して柱配筋３に対して着脱自在に取付けられる。
【００１９】
柱配筋側取付部３２は、例えば図１，図２に示すように、柱配筋３の周囲を覆う四角筒状に形成された取付ベース３３と、取付ベース３３に取付けられた取付ブラケット３４とを備えて構成される。
取付ベース３３は、例えば、４枚の板３３ａ，３３ａ…が四角筒の４側面を形成するように配置されて四角筒の角部を形成する隣り合う板３３ａ，３３ａの端部を連結部材３３ｂを介して連結するようにして四角筒状に形成される。例えば、連結部材３３ｂとしてＬ字状に形成されたアングル部材を用い、四角筒の角部を形成する隣り合う板３３ａ，３３ａの端部を溶接等で当該アングル部材に固定することにより、四角筒状の取付ベース３３を作製する。そして、このように作製された取付ベース３３を柱配筋３の上から柱配筋３の周囲を取り囲むように配置し、所望の高さ位置で当該取付ベース３３を図外の固定手段で柱配筋３に固定する。
取付ブラケット３４は、例えばＬ字状に形成されたアングル部材を用いる。取付ベース３３の外周面における筒軸に沿った方向においてダクト２の上板２５の上外面と下板２６の下外面との間の間隔（即ち、ダクト２の厚さ寸法）に対応した間隔を隔てて上下に配置された一対の取付ブラケット３４，３４が、取付ベース３３の外周面の周方向に沿って複数組固定されている。
例えば、１／２扇形形状のダクト２を取付ける場合には、図１，図２に示すように、取付ベース３３の１／２外周面に一対の取付ブラケット３４，３４が４組設けられ、１／４扇形形状のダクト２を取付ける場合には、図５に示すように、取付ベース３３の１／４外周面に一対の取付ブラケット３４，３４が２組設けられる。
取付ブラケット３４は、Ｌ字の一方の面が取付ねじ３４ａ等で取付ベース３３に取付けられ、Ｌ字の他方の面には後述するダクト２の取付孔２１ａに合致する取付孔３４ｂが形成されている。
【００２０】
ダクト側取付部２１は、例えば、ダクトの除去部２８や除去部２９の周縁の近傍において上板２５及び下板２６のそれぞれに形成された取付孔２１ａにより形成される（図４，図７参照）。
【００２１】
従って、図外の固定手段で柱配筋３に固定された取付ベース３３の上下の一対の取付ブラケット３４，３４間にダクト２の除去部２８や除去部２９の周縁側を挿入して、上板２５と下板２６とに形成された取付孔２１ａ，２１ａを上下の一対の取付ブラケット３４，３４の取付孔３４ｂ，３４ｂに合致させた状態で、これら取付孔３４ｂ，２１ａ，２１ａ，３４ｂにボルト３５を貫通させ、貫通させたボルト３５の先端側からナット３６を螺着して当該ナット３６を締結することにより、ダクト２がダクト側取付部２１及び柱配筋側取付部３２を介して柱配筋３に着脱自在に取付けられる（図１参照）。
【００２２】
即ち、圧縮空気噴射口２２が柱体としての柱配筋３の周方向に沿って連続する圧縮空気噴射口２２となるようにダクト２がダクト側取付部２１及び柱配筋側取付部３２を介して柱配筋３に取付けられて、圧縮空気取入口２３にコンプレッサー４からの圧縮空気供給管２３ｃが連結され、圧縮空気取入口２３を介してダクト２の内部空間にコンプレッサー４からの圧縮空気Ａが供給されることによって、図１に示すように、ダクト２の内部空間に供給された圧縮空気Ａが流路２４を介して柱配筋３の周方向に沿って連続する圧縮空気噴射口２２から噴射されて、圧縮空気噴射口２２の前方において降る雨を吹き飛ばす圧縮空気噴射装置１を構成できるので、雨天時においても、柱配筋３の下側の地上面５又は下層床面５にコンクリートを打設する作業を行えるようになり、雨天による施工期間の遅れを抑制できるようになる。また、実施形態１では、ダクト２が柱配筋３に取付けられるので、移動式屋根にダクトを設ける特許文献１のように、柱配筋３が邪魔になってしまうことはない。
【００２３】
ダクト２を備えた圧縮空気噴射装置１が、行列状に設けられた柱配筋３，３…の互いに隣り合う間隔（１スパン）３Ｘでの雨を吹き飛ばすことができる装置であると仮定した場合におけるダクト２の配置例を図８に示す。
図８（ａ）に示すように、建物の長辺方向に沿って柱配筋３が５列に設けられ、かつ、建物の短辺方向に沿って柱配筋３が４列に設けられている場合において、長辺方向３列目で短辺方向３列目に位置する第１の柱配筋３Ａ（３）に１／２扇形形状のダクト２を２つ取付けて当該第１の柱配筋３Ａの全周囲に連続して圧縮空気噴射口２２を備えた圧縮空気噴射装置１を設ける。また、第１の柱配筋３Ａ（３）の周りに位置する、長辺方向２列目で短辺方向３列目の第２の柱配筋３Ｂ（３）、長辺方向４列目で短辺方向３列目の第２の柱配筋３Ｂ（３）、長辺方向３列目で短辺方向２列目の第２の柱配筋３Ｂ（３）に、１／２扇形形状のダクト２をそれぞれ１つずつ取付けて当該第２の柱配筋３Ｂの半周囲に連続して圧縮空気噴射口２２を備えた圧縮空気噴射装置１を設ける。さらに、第１の柱配筋３Ａ（３）の周りに位置されてかつ第１の柱配筋３Ａ（３）との距離が第２の柱配筋３Ｂ（３）よりも遠い、第２の長辺方向２列目で短辺方向２列目の第２の柱配筋３Ｃ（３）、及び、長辺方向４列目で短辺方向２列目の第２の柱配筋３Ｃ（３）に、１／４扇形形状のダクト２をそれぞれ１つずつ取付けて当該第２の柱配筋３Ｃ（３）の４分の１周囲に連続して圧縮空気噴射口２２を備えた圧縮空気噴射装置１を設ける。
また、図８（ｂ）に示すように、第１の柱配筋３Ａ（３）に取付けるダクト２を最も高い位置に取付け、その次に、第２の柱配筋３Ｂ（３）に取付けるダクト２を第２の柱配筋３Ｃ（３）よりも高い位置に取付け、第２の柱配筋３Ｃ（３）に取付けるダクト２を最も低い位置に取付けるようにする。尚、図８（ｂ）は、図８（ａ）に示した想像線Ｚの位置から矢印ｄ方向に見た場合を図示している。
以上のように、ダクト２を配置して取付けることにより、第１の柱配筋３Ａ（３）に取付けられたダクト２から噴射させた圧縮空気Ａで吹き飛ばした雨を、さらに、第１の柱配筋３Ａ（３）の周囲に設けられた第２の柱配筋３Ｂ（３）、及び、第２の柱配筋３Ｃ（３）に取付けられたダクト２から噴射させた圧縮空気Ａで第１の柱配筋３Ａ（３）から離れる方向に吹き飛ばすことができるため、雨天時において、柱配筋の下部側にコンクリートを打設する作業を広い範囲で行うことが可能となり、雨天による施工期間の遅れを抑制できるようになる。
【００２４】
尚、実施形態では、ダクト２として、圧縮空気噴射口が柱体の周方向に沿って１８０°に亘って連続するように形成された１／２扇形形状のダクト、及び、圧縮空気噴射口が柱体の周方向に沿って９０°に亘って連続するように形成された１／４扇形形状のダクトを例示したが、ダクト２は、圧縮空気噴射口が柱体の周方向に沿って所定角度に亘って連続するように形成されたものであればよい。
【００２５】
また、実施形態では、圧縮空気取入口を上板に設けたダクト２を例示したが、圧縮空気取入口が下板に設けられて構成されたダクトであってもよい。この場合、例えば上板を変形板で形成して整流部を構成すればよい。
【００２６】
また、ダクトの整流部は上述した構成に限らず、例えば、流路内にメッシュやハニカムメッシュ等の整流材を設置して整流を行うように構成された整流部を備えたダクトであってもよい。
【００２７】
また、図８に示したダクト２の配置例では、圧縮空気噴射口が第１の柱配筋３Ａ（３）の全周囲に連続して設けられるように当該第１の柱配筋に複数のダクト２を取付け、第１の柱配筋の周りに位置される第２の柱配筋３Ｂ（３），３Ｃ（３）には、当該第２の柱配筋の半周囲又は１／４周囲に圧縮空気噴射口が連続するようにダクト２を取付ける例を示したが、圧縮空気噴射口が第１の柱配筋の全周囲に連続して設けられるように当該第１の柱配筋に１つ又は複数のダクトを取付けるとともに、第１の柱配筋の周りに位置される第２の柱配筋には、当該第２の柱配筋の周方向に沿って所定角度に亘って圧縮空気噴射口が連続するように１つ又は複数のダクトを取付けるようにしてもよい。
【００２８】
また、実施形態では、ダクト２を用いた圧縮空気噴射装置１を雨天時のコンクリート打設作業時に使用する例を示したが、本発明のダクト２を用いた圧縮空気噴射装置１は、屋外に設けられたエスカレータ、通路、その他の様々な場所の上に柱体を介して設置して雨を吹き飛ばすような場合に使用できる。
また、本発明のダクトを用いた圧縮空気噴射装置は、柱体の周方向に沿って連続する圧縮空気噴射口を形成して、柱体の周囲に圧縮空気を噴射することにより、例えば、夏季における熱中症対策にも使用可能である。
【符号の説明】
【００２９】
１  圧縮空気噴射装置、２  ダクト、３  柱配筋（柱体）、３Ａ  第１の柱配筋、
３Ｂ，３Ｃ  第２の柱配筋、４  コンプレッサー（圧縮空気供給手段）、
２２  圧縮空気噴射口、２３  圧縮空気取入口、２４  流路、Ａ  圧縮空気。
【図１】
2017172249.tif 000003
【図２】
2017172249.tif 000004
【図３】
2017172249.tif 000005
【図４】
2017172249.tif 000006
【図５】
2017172249.tif 000007
【図６】
2017172249.tif 000008
【図７】
2017172249.tif 000009
【図８】
2017172249.tif 000010